(57)【要約】【課題】  スローアウェイチップの輸送時や取扱い時の刃部の欠損、収納ケースの損傷および雑音の発生等を防止する。【解決手段】  スローアウェイ工具２が収納される収納部３を有するスローアウェイ工具用収納ケース１であって、硬質プラスチックからなるケース基体４の中に、プラスチックからなりスローアウェイ工具２の下面に載置される下敷き６と、発泡プラスチックまたは発泡ゴムからなりスローアウェイ工具２の収納部３が型抜きされてスローアウェイ工具２の外周面を覆うように載置される枠部７と、が接着にて一体化された緩衝材８を収納したスローアウェイ工具用収納ケース１である。【選択図】  図１
2006008225.tif 000002
【特許請求の範囲】
【請求項１】
スローアウェイ工具が収納されるスローアウェイ工具用収納ケースであって、硬質プラスチックからなるケース基体の中に、プラスチックからなり前記スローアウェイ工具の下面側に位置する下敷きと、発泡プラスチックまたは発泡ゴムからなり前記スローアウェイ工具の収納部が型抜きされて前記スローアウェイ工具の外周面を覆うように載置される枠部と、が接着にて一体化された緩衝材が収納されているスローアウェイ工具用収納ケース。
【請求項２】
前記枠部の厚みが前記収納されるスローアウェイ工具の厚み以下である請求項１記載のスローアウェイ工具用収納ケース。
【請求項３】
前記ケース基体がケース本体と蓋とからなるとともに、前記ケース本体に収納された緩衝材の上面と前記ケース基体の蓋との隙間が、前記スローアウェイ工具の厚みよりも狭い請求項１または２記載のスローアウェイ工具用収納ケース。
【請求項４】
前記スローアウェイ工具の収納部において、前記スローアウェイ工具を収納した際に該スローアウェイ工具の外周面と前記枠部の型抜きされた内壁面との間に隙間が存在する請求項１乃至３のいずれか記載のスローアウェイ工具用収納ケース。
【請求項５】
前記ケース基体が、ケース本体とスライド式の蓋とを組み合わせた箱体からなるとともに、該箱体の底面に前記スローアウェイ工具用収納ケース同士を積層する時に係止めとなる突起を備えている請求項１乃至４のいずれか記載のスローアウェイ工具用収納ケース。
【発明の詳細な説明】
【技術分野】
【０００１】
本発明は、スローアウェイ工具を収納するスローアウェイ工具用収納ケースに関するものである。
【背景技術】
【０００２】
スローアウェイ工具（以下、工具と称する。）を工具ホルダに取り付けて切削加工するスローアウェイ式工具が汎用されている。かかるスローアウェイ式工具においては、工具の切刃が寿命に達した時点で新しい工具に交換されるため、一般的に工具は複数個単位で販売されている。
【０００３】
従来この種の収納ケースとしては、例えば、特許文献１、２のように格子状の中枠で仕切られた１０個の矩形状の収納部を有する箱型のプラスチック収納ケースが一般的であり（図５参照）、この矩形状の収納部に工具が１個ずつ収納されていた。
【特許文献１】登録実用新案第３００５１０８号公報
【特許文献２】特開平９−１３２２４０号公報
【発明の開示】
【発明が解決しようとする課題】
【０００４】
しかしながら、上記のようなプラスチックケースの矩形状の収納部にチップを収納する方法では、チップを収納したケースを取り扱う際や運搬の際にチップが収納部内で動き回り、収納ケースの中枠や外壁に衝突していた。このために、チップの切刃にチッピングや欠損が生じたり、切刃にプラスチック等の異物が付着する恐れがあった。また、場合によっては、チップの切刃がプラスチックからなる収納ケースの壁面を傷つけてプラスチック壁面にめり込んでしまい工具がケースから取れにくくなることもあった。さらに、チップがプラスチックケースに衝突することによって雑音が発生するという不具合もあった。
【０００５】
本発明は上記課題を解消するものであり、その目的は、スローアウェイ工具の切刃を確実に保護できるとともに、雑音の生じないスローアウェイ工具用収納ケースを提供することにある。
【課題を解決するための手段】
【０００６】
本発明者は、以下の構成からなるスローアウェイ工具用収納ケースとすることにより、上記課題を解消できることを発明した。
【０００７】
すなわち、本発明のスローアウェイ工具用収納ケースは、スローアウェイ工具が収納されるスローアウェイ工具用収納ケースであって、硬質プラスチックからなるケース基体の中に、プラスチックからなり前記スローアウェイ工具の下面側に位置する下敷きと、発泡プラスチックまたは発泡ゴムからなり前記スローアウェイ工具の収納部が型抜きされて前記スローアウェイ工具の外周面を覆うように載置される枠部と、が接着一体化された緩衝材が収納されていることを特徴とするものである。
【０００８】
ここで、前記枠部の厚みが前記収納されるスローアウェイ工具の厚み以下であることが、収納ケースからスローアウェイ工具を取り出す際に容易に取り出せる点で望ましい。
【０００９】
また、前記ケース基体がケース本体と蓋とからなるとともに、前記ケース本体に収納された緩衝材の上面と前記ケース基体の蓋との隙間が、前記スローアウェイ工具の厚みよりも狭いことが、収納ケースを裏返した場合でも工具が収納部内に確実に保持される点で望ましい。
【００１０】
さらに、スローアウェイ工具の取り出しの容易さの点で、前記スローアウェイ工具の収納部において、前記スローアウェイ工具を収納した際に隙間が存在することが望ましく、この隙間に指や爪を入れることによって容易に取出しが可能となる。
【００１１】
さらには、前記ケース基体が、スライド式の蓋を有する箱体からなるとともに、該箱体の底面に前記スローアウェイ工具用収納ケース同士を積層する時に係止めとなる突起を備えているタイプに対しても好適に適応可能である。
【発明の効果】
【００１２】
上記本発明のスローアウェイ工具用収納ケースによれば、工具の切刃が発泡ゴムまたは発泡プラスチックからなる緩衝材にて囲まれるように載置されることから、工具とプラスチックケース基体との衝突による切刃の欠損や異物の付着、雑音の発生を防止することができる。また、緩衝材をなす前記下敷きと枠部が接着にて一体化されていることから、さらに確実に工具を保持することができ、かつ枠部が必要以上に変形することを防止して枠部が破損する等の不具合を解消できる。したがって、ケース基体のサイズが従来のサイズと同じものを用いた際に枠部の工具間を隔てる隔壁部分の幅が細くなり、隔壁部分の保形性が悪くなるという問題に対しても、下敷きの厚みを制御しつつ隔壁部分の保形性を高めて従来と同じサイズのケース基体を用いることができる。
【発明を実施するための最良の形態】
【００１３】
本発明のスローアウェイ工具用収納ケースについて、その好適例である図１乃至４に基づいて説明する。図１はスローアウェイ工具用収納ケース（以下、単に収納ケースと略す。）の一例を示す概略平面図、図２は図１の収納ケースにスローアウェイ工具を収納した状態を示す概略平面図、図３は図２のＡ−Ａ断面図、図４は本発明のスローアウェイ工具用収納ケースの他の実施態様を示す概略断面図である。
【００１４】
図１のスローアウェイ工具用収納ケース（以下、単に収納ケースと略す。）１は、スローアウェイ工具（以下、単に工具と略す。）２が収納される収納部３を有し、硬質プラスチックからなるケース基体４の中に、プラスチックからなり工具２の下面に載置される下敷き６と、発泡プラスチックまたは発泡ゴムからなり工具２の収納部３が型抜きされて（型抜き部５が形成され）工具２の外周面を覆うように載置される枠部７と、が接着一体化された緩衝材８が収納されている。
【００１５】
この構成によって、図２の収納ケース１に工具２を装着した状態に示すように、工具３とケース基体４との衝突による切刃の欠損や異物の付着、雑音の発生を防止することができる。また、緩衝材８をなす下敷き６と枠部７が接着にて一体化されていることから、さらに確実に工具を保持することができ、かつ枠部７のうち工具３，３間を隔てる隔壁部分７ａが必要以上に変形することを防止して枠部の隔壁部分７ａが破損する等の不具合を解消できる。したがって、ケース基体４のサイズが従来のサイズと同じものを用いた際に枠部の工具間を隔てる隔壁部分の幅が細くなり、隔壁部分の保形性が悪くなるという問題に対しても、隔壁部分７ａの保形性を高めて従来と同じサイズのケース基体を用いることができる。
【００１６】
ここで、枠部７の厚みｔ１が工具２の厚みｔ２以下であることが、収納ケース１から工具２を取り出す際に容易に取り出せる点で望ましい。
【００１７】
この時、収納される工具２の厚み（外周面厚み）が薄い場合には下敷き６の厚みを厚くして枠部７の厚みを薄くする。逆に、収納される工具２の厚み（外周面厚み）が厚い場合には下敷き６の厚みを薄くして枠部７の厚みを厚くする。このような組み合わせによって、ケース基体は同じ形状のものを使用することができ、効率的であるとともにケース基体４を作製するための金型代が節約できて経済的である。
【００１８】
また、ケース基体４がケース本体１０と蓋１１とからなるとともに、ケース本体１０に収納された緩衝材８の上面８ａとケース基体４の蓋１１との隙間ｔ３が、収納される工具２の厚みｔ２よりも狭いことが、収納ケース１をひっくり返した場合でも工具２が収納部３内に確実に保持される点で望ましい。
【００１９】
ここで、下敷き６の材質はケース基体４のような硬質プラスチックであってもよく、または緩衝材８の枠部７のような発泡プラスチックまたは発泡ゴムであってもよい。例えば、下敷き６の厚みを薄くする必要がある場合には保形性を重視して強度の高い硬質プラスチック、中でも加工性に優れたフィルム状の硬質プラスチックにて形成する。逆に、下敷き６の厚みを厚くする必要がある場合には加工性を重視して強度の低い発泡プラスチックまたは発泡ゴムにて形成する。
【００２０】
なお、硬質プラスチックとしては、ポリプロピレン（ＰＰ）、ポリエチレンテレフタレート（ＰＥＴ）等が収納ケースの強度、軽さ、保形性、コスト、リサイクル性に優れている点を考慮しても好適に使用可能である。また、発泡プラスチックまたは発泡ゴムとしては、ウレタンフォーム、発泡ポリスチレン、発泡スチロール等が衝撃吸収力、軽さ、保形性、コストの点で好適に使用可能である。
【００２１】
さらに、工具２の取り出しの容易さの点で、工具２の収納部３において、工具２を収納した際に隙間９が存在することが望ましく、この隙間に指や爪を入れることによって容易に取出しが可能となる。
【００２２】
さらには、ケース基体４が、スライド式の蓋１１ｓを有する箱体からなるとともに、該箱体の底面に収納ケース１同士を積層する時に係止めとなる突起１２を備えているタイプに対しても好適に適応可能である。
【００２３】
なお、図１によれば、ケース基体４はケース本体１０と蓋１１とからなっており、ケース本体１０の内部には長手方向に１本だけ中枠１３が設けられている。この中枠１３はケース本体１０の補強材としても作用する。また、本発明によれば、中枠１３は従来の収納ケースのように各工具の収納部を仕切るように格子状に設けられていてもよいが、緩衝材８をはめ込む手間を省くためにはできるだけ隣接する工具間に中枠１３を設けない部分が存在する、すなわち１つの枠部７に複数の型抜き部５を形成して複数個の工具２を収納できることが望ましい。
【００２４】
また、工具２が中央にねじ孔１５を有する形状である場合、図４に示すようにケース本体１０または下敷き６と一体化されたピン１６を設けて工具２のねじ孔１５にピン１６が貫通するように収納することも可能である。この方法によれば工具２がより動きにくくなり工具２の切刃の保護効果と雑音防止効果がさらに高まる。しかしながら、工具２を収納ケース１から取り出す際の作業性の観点からは、ピン１６を設けない方が、工具２の外周面と変形可能な緩衝材８の内壁面との間隔をより広く確保できるため工具２が容易に取り出せるので望ましい。また工具２を収納ケース１に収納する際の作業性の観点からも、ピン１６を設けない方が、ピン１６を気にせず容易に収納できるので望ましい。
【００２５】
上記構成のチップ収納ケースは、図２に示すようにケース本体１０内に緩衝材８を挿入し、次に緩衝材８の各収納部３に工具２を１つずつ載置する。そして、蓋１１をスライドさせながら装着することにより収納部３を封じる（図示せず）。さらに、所望により、ケース本体１０と蓋１１との双方にかかるようにラベルを貼ることによって完成する。
【００２６】
なお、図１、２では工具２として主面が多角形状をなす板状の、いわゆるスローアウェイチップについて例示したが、本発明はこれに限定されるものではなく、ドリルやエンドミル、ボーリングバー等の棒状部を有する工具や、略直方体形状の溝入れ工具等に対しても好適に適応可能である。
【図面の簡単な説明】
【００２７】
【図１】本発明の一実施例を示すスローアウェイ工具用収納ケースの概略平面図である。
【図２】図１のスローアウェイ工具用収納ケースにスローアウェイ工具を収納した状態を示す概略平面図である。
【図３】図２のＡ−Ａ断面図である。
【図４】本発明のスローアウェイ工具用収納ケースの他の実施態様を示す概略断面図である。
【図５】従来のスローアウェイ工具用収納ケースにスローアウェイ工具を収納した状態を示す概略平面図である。
【符号の説明】
【００２８】
１    スローアウェイ工具用収納ケース（収納ケース）
２    スローアウェイ工具（工具）
３    収納部
４    ケース基体
６    下敷き
７    枠部
７ａ  隔壁部分
８    緩衝材
９    隙間
１０  ケース本体
１１  蓋
１１ｓ  スライド式の蓋
１２  突起
１３  中枠
１５  ねじ孔
１６  ピン
【図１】
2006008225.tif 000003
【図２】
2006008225.tif 000004
【図３】
2006008225.tif 000005
【図４】
2006008225.tif 000006
【図５】
2006008225.tif 000007